(57)【要約】【課題】本発明は、ロール状の粘着テープを任意の長さまで繰り出しながら貼り付け、テープの切断が可能で、テープを切断した後において、該ホルダーを再使用する際には、手早く粘着テープの繰り出しが可能な粘着テープホルダーであって、貼着作業に際しては、片手で連続して貼り付け可能なホルダーの実現を目的とする。【解決手段】粘着テープホルダーの前方下部にガイドプレートの吊下げ部を締結具で取付け、締結具のネジ部にねじりコイルばねを遊嵌し、該ねじりコイルばねの両端にフックを形成し、フックの一端をガイドプレートの吊下げ部に係止して、他端のフックをホルダーの外側壁面の小孔に係着する。【選択図】図１
2012229125.tif 000002
【特許請求の範囲】
【請求項１】
粘着テープホルダーの前方下部にガイドプレートの吊下げ部を締結具で連結する手段と、締結具にねじりコイルばねを遊嵌する手段と、ねじりコイルばねの両端にフックを形成し、フックの一端をガイドプレートの吊下げ部に係止し、他端のフックをホルダー本体の外側壁面の小孔に係着してなることを特徴とした粘着テープホルダー。
【請求項２】
ガイドプレートの裏面に粘着テープをガイドする段差状の溝を設けた請求項１記載の粘着テープホルダー。
【発明の詳細な説明】
【技術分野】
【０００１】  本発明は、ロール状に巻回された粘着テープを収納するホルダーの前方下部に、被貼着面をガイドプレートで押圧可能に一体化したことを特徴とする粘着テープホルダーに関する。
【背景技術】
【０００２】  従来、粘着テープホルダー内に巻回された粘着テープを収納したホルダーから、押圧ローラで粘着テープを引き出し、該テープを押さえ板に密着させながら、引き出されたテープを切断刃で切断するようにして、片手で貼着作業が行えるようにしたテープカッターが提案されている（例えば、特許文献１参照）。【０００３】  また、粘着テープを押える押圧ローラの被覆層が、プラスチックチューブである押圧ローラが提案されている（例えば、特許文献２参照）。
【先行技術文献】
【特許文献】
【０００４】
【特許文献１】実開平６−１８３５６号公報
【特許文献２】特公平７−１０２９３２号公報
【発明の概要】
【発明が解決しようとする課題】
【０００５】  従来の粘着テープホルダーは、必要な長さに切断した後で貼り付けを行うなどの貼着作業は、多くの時間と手間がかかるため、面倒であり不便であった。【０００６】  また、封筒の封緘や箱蓋のフラップを貼り付ける場合は、被貼着部材のフラップが動いてずれることがあった。したがって、片手で被貼着部材のフラップを押えながら貼り付ける面倒さがあった。【０００７】  また、押圧ローラで粘着テープを貼り付けた後で、テープを切断するとテープの切れ端がローラ面から戻ることがあるので、断続的に使用するときは、いちいちテープをローラ面まで繰り返し引き出す面倒さがあった。【０００８】  本発明は、ロール状の粘着テープを被貼着面上に任意の長さまで繰り返しながら貼り付けて、テープを切断することが可能であって、テープを切断した後で、該ホルダーを再使用する際は、手早い粘着テープの繰り出しが可能な粘着テープホルダーであって、また、貼着作業に際しては、両手を使わずに、片手で連続して貼り付け可能なホルダーであって、さらに、非使用のときは、ホルダー自体を自立させた状態で放置可能な粘着テープホルダーの実現を目的とするものである。
【課題を解決するための手段】
【０００９】  本発明は、前記の課題を解決するため、以下の構成を採用した。【００１０】  本発明は、ロール状に巻回された粘着テープを収納するホルダーの前方下部に、被貼着面を押えるガイドプレートを押圧可能に一体化したものである。【００１１】  実施例１において、本発明に係る粘着テープホルダーは、ロール状に巻回された粘着テープを収納するケース本体に、該ケース本体の前方部と相対するケースと後方部と相対するケースとが一体化するように構成されたものである。【００１２】  なお、ケース本体の後方部に、ロール状の粘着テープを保持する円筒状の保持部とダボ穴を設け、該ケース本体の後方部と相対面が略同一外形を備えて構成された後方部のケースには円筒状の支持部と所定位置にダボ栓を設ける。【００１３】  粘着テープを収納するケース本体と、該ケース本体の前方部と一体にする前方部のケースに略矩形状で肉厚を有する押さえ台を形成し、該押さえ台の内側壁に切断刃を固着する逆凹状の溝と、ローラ軸を挿着する軸穴と、テープを支える板状部材を固着する方形状の穴を設ける。【００１４】  前記ホルダーの前方下部に取付けるガイドプレートは、略矩形状の平板であって、略中央部に開口部を形成し、先端部を略三角形状に形成し、略矩形状の左右両側縁が弧状である吊下げ部を形成し、該吊下げ部の中央部に締結具を挿着する孔を穿設して、左右両側の吊下げ部を上向きに折り曲げて立設したものである。【００１５】  前記ホルダーの外側壁面には、前方下部にガイドプレートを取付ける留穴を穿設して、該留穴にガイドプレートの吊下げ部を締結具で取付け、該締結具にねじりコイルばねを遊嵌する。該ねじりコイルばねの両端にフックを形成し、該フックの一端をガイドプレートの吊下げ部に係止し、他端のフックをケース本体の外側壁面に穿設した小孔に係着する。【００１６】  前記ホルダーの正面前方下部に粘着テープの繰り出し口を形成し、粘着テープをガイドプレートの下面から繰り出すことができる。【００１７】  粘着テープを収納するケース本体の前方部と相対面が略同一外形の前方部ケースには、ケース本体の前方下部と略同一形状で対向する位置に、略矩形状で肉厚を有する押さえ台を形成し、該押さえ台の内側壁に切断刃を固着する逆凹状の溝と、ローラ軸を挿着する軸穴と、テープを支える板状部材を固着する穴とを設けて、ケース本体の前方部と相対面が略同一外形を有する後方部のケースとを嵌め合わせて一体化する。【００１８】  なお、ケース本体の所定位置に設けた円筒状の保持部とダボ穴に、該ケース本体の後方部と相対面が略同一外形である後方部のケースに円筒状の支持部と所定位置にダボ栓とを嵌め合せて一体化する。【００１９】  実施例２において、粘着テープホルダーＡの前方下部に取付けるガイドプレートは、略矩形状に形成した平板であって、該平板の略中央部に開口部を形成し、左右両側を弧状にした吊下げ部を形成し、該吊下げ部を上向きに折り曲げて立設して、先端部を略三角形状に形成したものであって、この先端部の裏面にテープ幅程度の段差状の溝を形成したものである。
【作用】
【００２０】  前記ガイドプレートの吊下げ部は、締結具でホルダーの外側壁と連結されているので、締結具のネジ部にねじりコイルばねを遊嵌することで、ねじりコイルばねのフックをホルダーの外壁とガイドプレートの吊下げ部に引掛けてあるので、ねじりコイルばねの付勢力からガイドプレートに必要なトルクが得られる。したがって、ホルダーの前傾角度を任意に調節することが可能である。
【発明の効果】
【００２１】  本発明に係るホルダーにガイドプレートを連結したので、ガイドプレートの裏面で被貼着部材を押さえることができる。
【００２２】  本発明に係るホルダーの自立状態の維持は、ガイドプレートの先端部とホルダー後方下部の周壁を支点として自立可能となる。
【００２３】  ホルダーを押さえた状態で僅かに前傾状態によると、刃先部分が下方へ変位して粘着テープと接触するので、緊張したテープを刃先で切断することができる。
【００２４】  本発明に係る実施例２について、ガイドプレート裏面の略中央部に段差状の溝を形成すると、粘着テープを貼る方向へガイドすることが可能です。
【００２５】  貼着されたテープを切断した後、テープは後方へ僅かに逆戻りするが、ホルダーを持ち上げると、前傾状態のホルダーは、ガイドプレートの回動トルクにより使用開始前の状態に復元し、戻り止めの板状部材とガイドプレートの戻り止め突起とでテープが挟持された状態となるので、テープはローラの下面近傍で停止することができる。したがって、再使用に際しては、手早く粘着テープの繰り出しを行なうことも可能である。
【図面の簡単な説明】
【００２６】
【図１】本発明に係るケース本体の自立状態を示す内側壁面の側面図。
【図２】本発明に係るケース本体の外側壁面を示す側面図
【図３】本発明に係るホルダーの正面図。
【図４】本発明に係るホルダーの平面図。
【図５】本発明に係るケース本体の前方部に嵌め合せる内側壁面を示す側面図。
【図６】本発明に係るケース本体の後方部に嵌め合せる内側壁面を示す側面図。
【図７】本発明に係るホルダーの使用状態を示す側面図。
【図８】本発明の実施例２に係るガイドプレートの平面図。
【図９】本発明の実施例２に係るガイドプレートの底面図。
【図１０】本発明の実施例２に係るホルダーの正面図。
【発明を実施するための形態】
【００２７】  本発明に係る粘着テープホルダーの実施形態を、図面に基づいて説明する。
【００２８】  本発明に係る粘着テープホルダーＡは、ロール状に巻回されている粘着テープＢを収納するケース本体１において、該ケース本体１との相対面が略同一外形を備えた前方部のケース２と、ケース本体１の後方部との相対面が略同一外形を備えた後方部のケース３とによって一体化してなるものである。
【００２９】  図１は、本発明の実施例１に係るケース本体１の内側壁面１１を示すものであって、粘着テープＢを収納するケース本体１には、該ケース本体１の外側壁面１２の外縁に内側壁面１１を囲むように周壁１３を形成し、粘着テープＢを収納する後方部には、内側壁面１１が略円形状の内部空間を備え、この内部空間の中央部にロール状の粘着テープＢを保持する円筒状の保持部１４を設け、該保持部１４の下部外周縁にフランジ１４ａを形成し、内側壁面１１の所定位置に複数のダボ穴１ａ、１ｂ、１ｃ、１ｄ、１ｅを設け、前方下部の外側壁面１２は中央部から前方下部端に至るまで切り欠きされた形状にして、ケース本体１の前方下部に略矩形状で肉厚を有する押さえ台１５を形成し、外側壁面１２の下部に留穴１２ｂ（図示せず）を穿設する。
【００３０】  図５は、本発明に係る前方部のケース２を示すものであって、ケース２の内側壁面２１はケース本体１の前方部との相対面が略同一外形を備えて構成されたものであって、ケース２の内部空間の所定位置にダボ栓２ａ、２ｂ、２ｃを設け、ケース２に形設する押さえ台２４を略矩形状に形成し、該押さえ台２４はケース本体１の下部端に形成された押さえ台１５と対向する位置に形設し、外側壁面２２の下部に留穴２２ｂを穿設ける。
【００３１】  図６は、本発明に係るケース３を示すものであって、ケース３の内側壁面３１はケース本体１の後方部との相対面が略同一外形を備えて構成されたものであって、ケース３の内部空間の中央部には、ケース本体１の保持部１４に挿着する円筒状の支持部３４を形成し、所定位置にダボ栓３ａ、３ｂを設けたものである。
【００３２】  上記ケース本体１と前方部のケース２の内側壁面１１、２１には、前方下部に肉厚で矩形状の押さえ台１５、２４を形成し、該押さえ台１５、２４の内側壁に切断刃４を固着する逆凹状の溝１６、２５と、ローラを被着する軸５が挿着される軸穴１７、２６と、粘着テープＢを支える板状部材６を固着する方形状の穴１８、２７を穿設する。
【００３３】  上記ケ−ス本体１と前方部のケース２との押さえ台１５、２４に穿設した逆凹状の溝１６，２５に、切断刃４の両端を固着する。
【００３４】上記ケース本体１と前方部のケース２との押さえ台１５、２４に穿設した軸穴１７、２６に、塩化ビニールチューブで被覆されたローラ５１を被着する軸５の両端を挿着する。
【００３５】  上記ケース本体１と前方部のケース２との押さえ台１５、２４に穿設した方形状の穴１８、２７に、粘着テープＢを支える板状部材６の両端を固着する。
【００３６】  上記ケース本体１の内側壁面１１に設けられた所定位置のダボ穴１ａ、１ｂ、１ｃに、前方部のケース２に設けた所定位置のダボ栓２ａ、２ｂ、２ｃを嵌め合わせて一体化にする。
【００３７】  上記ケース本体１の内側壁面１１に設けた円筒状の保持部１４に粘着テープＢを装てんし、ケース３の内側壁面３１に設けた支持部３４をケース本体１の保持部１４に挿入し、該保持部１４の下部外周縁に設けたフランジ１４ａで受けて、ケース本体１の内側壁面１１に設けたダボ穴１ｄ、１ｅとケース３の内側壁面３１に設けたダボ栓３ａ、３ｂを嵌め合わせて一体化にする。
【００３８】  本発明に係る粘着テープホルダーは、該ホルダーＡの前方下部に被貼着部材を押さえるガイドプレート７を取り付けたものである。
【００３９】  前記ガイドプレート７は先端部７１を略三角形状に形成し、左右両側と下部端を略矩形状に形成した平板７２であって、該平板７２の左右両側は、両端縁が弧状に形成された吊下げ部７３、７４であって、平板７２の略中央部に開口部７７を形成し、吊下げ部７３、７４の中央部に円形状の孔７５、７６を形成し、吊下げ部７３，７４を上向きに折り曲げて立設して、平板７２の下部に粘着テープＢの戻りを防止する突起７８を設ける。
【００４０】  上記ホルダーＡの前方下部に被貼着面を押さえるガイドプレート７の吊下げ部７３、７４を、ケース本体１とケース２の外側壁面１２、２２に穿設した留穴１２ｂ、２２ｂに締結具８、８１で取り付け、該締結具８のネジ部８２にねじりコイルばね９を遊嵌する。該ねじりコイルばね９の両端にフック９１、９２を形成して、該フック９１の一端をガイドプレート７の吊下げ部７３に係止し、他端のフック９２をケース本体１の外側壁に穿設した小孔１９に係着する。
【００４１】  上記締結具８のネジ部８２にねじりコイルばね９を遊嵌すると、ねじりコイルばね９の付勢力からガイドプレート７にトルクが発生するので、ホルダーＡを前傾状態にすることで切断刃４を出す調節が容易となる。
【００４２】  本発明に係るホルダーＡを図７で示す矢印の水平方向へ引くと、ケース本体１に収納されたから粘着テープＢは、ローラ５１を押圧しながら回転させると被貼着部材に貼り付けることができる。
【００４３】  なお、ホルダーＡから繰り出される粘着テープＢは、表面は非粘着面で裏面が粘着面であって、ケース本体１とケース２に形設された押さえ台１５、２４に固着した板状部材６の下面を通過させて、塩化ビニール製チューブが被覆されたローラ５１の下面まで引き延ばすと使用可能な状態となる。
【００４４】被貼着部材に粘着テープＢを貼着した後で、粘着テープＢを切断する場合、上記ホルダーＡの前方上部を押さえながら僅かに前傾状態にすると、ケース本体１とケース２に形設した押さえ台１５、２４に固着された切断刃４の刃先は、ガイドプレート７の開口部７７から下方へ変位して、刃先は粘着テープＢと接触状態になるので、緊張した粘着テープＢはホルダーＡを捻ると刃先で切断することが可能である。
【００４５】  さらに、粘着テープＢを切断した後、ホルダーＡを持ち上げるとねじりコイルばね９の付勢力によってガイドプレート７が有するトルクが作用し、ホルダーＡは復元するので、切断刃４の刃先は元の状態に復帰させることが可能である。
【００４６】  すなわち、ガイドプレート７の吊下げ部７３をホルダーＡに取り付ける締結具８のネジ部８２にねじりコイルばね９を遊嵌することによって、ホルダーＡが図７で示す矢印方向へ前傾状態にすると、ねじりコイルばね９の付勢力によって、ガイドプレート７に回動トルクが得られるので切断刃の刃先を出す角度の調節が可能である。
【００４７】  貼着された粘着テープＢを切断した後、切断された粘着テープＢは、テープＢの繰り出し口１０からホルダーＡ内へ僅かに後退するが、粘着テープＢを切断した状態で、ホルダーＡを持ち上げると、ガイドプレート７が復元すると同時に、ガイドプレート７の戻り止めの突起７８と板状部材６とで、粘着テープＢが挟まれた状態で保持されるので、切断後の粘着テープＢの先端部分は、ローラ５１の下面付近に留めることができる。
【００４８】  本発明に係る粘着テープホルダーは、ホルダーＡに取り付けたガイドプレート７の先端部７１と、ホルダーＡを構成する周壁１３、２３の後方下部を支点として自立させることが可能である。すなわち、粘着テープＢの粘着面を下向きにして、被貼着部材面にホルダーＡを自立状態にしても貼り付くことがない。したがって、再使用の時は手早く粘着テープＢの繰り出しを行なうことができる。
【００４９】  なお、本発明に係るホルダーＡは、ケース本体１の後方下部が略円弧状の周壁で形成される左右略対称のケース３からなっており、この後方部のケース３を取り外すと、ケース１に収納された粘着テープＢを保持部１４から着脱自在に取り替えるようになっている。
【００５０】  次に、本発明に係る実施例２の実施形態を説明する。
【００５１】  図８と図９及び図１０は、本発明に係る粘着テープホルダーの前方下部に取り付けるガイドプレート１０１を示すものである。
【００５２】  当該ガイドプレート１０１の先端部１０２を略三角形状に形成し、左右両側と下部が略矩形状の平板１０３であって、該平板１０３の左右両側は両端が弧状に形成された吊下げ部１０４、１０５であって、平板１０３の略中央部に開口部１０６を形成し、吊下げ部１０４、１０５の中央部に円形状の孔１０７、１０８（図示せず）を形成し、吊下げ部１０４、１０５を上向きに折り曲げて立設して、さらに平板１０３の下部に粘着テープの戻りを防止する突起１０９を設ける。
【００５３】  図９はガイドプレート１０１の裏面を示す図であって、ガイドプレート１０１の先端中央部に略テープ幅程度の段差状の溝１１０を形成する。この段差状の溝１１０は粘着テープＢが貼られる方向をガイドするものである。
【００５４】  図１０は、本発明に係る粘着テープホルダーにガイドプレート１０１を取り付けた正面図であって、ガイドプレート１０１の裏面に段差状の溝１１０を形成したことを示すものである。
【符号の説明】
【００５５】    １  ケース本体
１４  保持部
１５  押さえ台
１６  逆凹状の溝
１７  軸穴
１８  方形状の穴
１９  小孔
２  前方部のケース
２４  押さえ台
２５  逆凹状の溝
２６  軸穴
２７  方形状の穴
３  後方部のケース
３４  支持部
４  切断刃
５  ローラが被着される軸
５１  ローラ
６  板状部材
７  ガイドプレート
７４  吊下げ部
７７  開口部
７８  戻り止め突起
８  締結具
９  ねじりコイルばね
９１  フック
９２  フック
１０  テープ繰り出し口
１０１  ガイドプレート
１１０  段差状の溝
【図１】
2012229125.tif 000003
【図２】
2012229125.tif 000004
【図３】
2012229125.tif 000005
【図４】
2012229125.tif 000006
【図５】
2012229125.tif 000007
【図６】
2012229125.tif 000008
【図７】
2012229125.tif 000009
【図８】
2012229125.tif 000010
【図９】
2012229125.tif 000011
【図１０】
2012229125.tif 000012